(57)【特許請求の範囲】
【請求項１】
二次電池と、この二次電池の正極及び負極にそれぞれ接続された正極入出力端子及び負極入出力端子と、二次電池から正極入出力端子及び負極入出力端子に至る入出力回路に直列に接続されたスイッチング素子と、二次電池の正極、負極間の電圧を監視して二次電池が過充電状態となる過充電電圧及び過放電状態となる過放電電圧が検出されたとき前記スイッチング素子を遮断状態に制御する制御回路とを備えた電池パックであって、
前記二次電池の正極電圧が入力される制御回路の正極電圧入力端子を外部に引き出した検査端子が設けられ、この検査端子と前記負極入出力端子との間が制御回路による過充電保護動作及び過放電保護動作を検査する検査電圧の入力部として構成されてなることを特徴とする電池パック。
【請求項２】
二次電池と、この二次電池の正極及び負極にそれぞれ接続された正極入出力端子及び負極入出力端子と、二次電池から正極入出力端子及び負極入出力端子に至る入出力回路に直列に接続されたスイッチング素子と、二次電池の正極、負極間の電圧を監視して二次電池が過充電状態となる過充電電圧及び過放電状態となる過放電電圧が検出されたとき前記スイッチング素子を遮断状態に制御する制御回路と、二次電池の正極電圧が入力される制御回路の正極電圧入力端子を外部に引き出した検査端子とを備えて電池パックが構成され、この電池パックの前記正極入出力端子と負極入出力端子との間に充電電源または放電負荷を接続し、前記制御回路に前記過充電電圧または過放電電圧に相当する検査電圧を印加して電池パックの過充電保護動作または過放電保護動作を充電回路または放電回路に配した電流検出手段により検知する電池パックの検査装置であって、
前記正極入出力端子と負極入出力端子との間の電圧から前記検査電圧を生成して前記検査端子と負極入出力端子との間に印加する検査電圧生成手段を備えてなることを特徴とする電池パックの検査装置。
【請求項３】
二次電池と、この二次電池の正極及び負極にそれぞれ接続された正極入出力端子及び負極入出力端子と、二次電池から正極入出力端子及び負極入出力端子に至る入出力回路に直列に接続されたスイッチング素子と、二次電池の正極、負極間の電圧を監視して二次電池が過充電状態となる過充電電圧及び過放電状態となる過放電電圧が検出されたとき前記スイッチング素子を遮断状態に制御する制御回路と、二次電池の正極電圧が入力される制御回路の正極電圧入力端子を外部に引き出した検査端子とを備えて電池パックが構成され、この電池パックの前記正極入出力端子と負極入出力端子との間に充電電源または放電負荷を接続し、前記制御回路に前記過充電電圧または過放電電圧に相当する検査電圧を印加して電池パックの過充電保護動作または過放電保護動作を充電回路または放電回路に配した電流検出手段により検知する電池パックの検査装置であって、
前記二次電池の電池電圧を記憶する電圧記憶回路と、過充電保護動作及び過放電保護動作の検査に対応する電圧を発生させる直流電圧源と、前記電池電圧記憶回路の出力電圧と前記直流電圧源の出力電圧との差電圧と正負入出力端子間の電圧とから前記検査電圧を生成して前記検査端子と前記負極入出力端子との間に印加する検査電圧生成回路とを備えてなることを特徴とする電池パックの検査装置。
【請求項４】
過充電保護動作及び過放電保護動作の検査に対応させて、正極入出力端子と負極入出力端子との間への充電電源または放電負荷の接続を切り換えると共に、検査電圧生成回路の動作状態を切り換える請求項３に記載の電池パックの検査装置。
【請求項５】
二次電池と、この二次電池の正極及び負極にそれぞれ接続された正極入出力端子及び負極入出力端子と、二次電池から正極入出力端子及び負極入出力端子に至る入出力回路に直列に接続されたスイッチング素子と、二次電池の正極、負極間の電圧を監視して二次電池が過充電状態となる過充電電圧及び過放電状態となる過放電電圧が検出されたとき前記スイッチング素子を遮断状態に制御する制御回路と、二次電池の正極電圧が入力される制御回路の正極電圧入出力端子を外部に引き出した検査端子とを備えて電池パックが構成され、この電池パックの前記正極入出力端子と負極入出力端子との間に充電電源を接続し、前記制御回路に前記過充電電圧または過放電電圧に相当する検査電圧を印加して電池パックの過充電保護動作または過放電保護動作を充電回路に配した電流検出手段により検知する電池パックの検査装置であって、
前記充電電源から前記過充電電圧に相当する電圧の充電電力を供給し、この充電電源の出力電圧を充電電圧生成手段により適正な充電電圧に電圧降下させて前記正極入出力端子と負極入出力端子との間に入力した充電状態で、充電電源の出力電圧を前記検査端子と負極入出力端子との間に印加することを特徴とする電池パックの検査装置。
【請求項６】
充電電圧生成手段は、所定の順方向電圧を有するダイオードを通して充電電源の出力電圧を前記正極入出力端子と負極入出力端子との間に入力する請求項４に記載の電池パックの検査装置。
【発明の詳細な説明】
【０００１】
【発明の属する技術分野】
本発明は、電池保護回路の動作を検査するための検査端子の数を削減した電池パックと、この電池パックに設けられた電池保護回路の動作を検査する電池パックの検査装置に関するものである。
【０００２】
【従来の技術】
リチウムイオン二次電池などのエネルギー密度の高い二次電池を用いた電池パックでは、二次電池を過充電や過放電から保護する電池保護回路が設けられる。図３に示すように、電池パック２０には、二次電池２８と電池保護回路２１とが設けられている。電池保護回路２１を構成する制御回路２９は、二次電池２８の電圧を監視して、過充電状態の電圧が検出されたときには、二次電池２８の入出力回路と直列に接続された第１のＦＥＴ２６を遮断状態に制御して二次電池２８に対する充電を停止させる。また、過放電状態の電圧が検出されたときには、二次電池２８の入出力回路と直列に接続された第２のＦＥＴ２７を遮断状態に制御して二次電池２８に対する放電を停止させる。この制御回路２９の動作により二次電池２８は過充電や過放電から保護される。
【０００３】
この電池保護回路２１を備えた電池パック２０は、電池保護回路２１の動作を検査するために、電池パック２０には、図示するように制御回路２９に接続された検査端子２４、２５が、正極入出力端子２２、負極入出力端子２３と共に設けられている。
【０００４】
上記構成になる電池パック２０の過充電保護動作の検査を行なうときには、図３に示すように、正極入出力端子２２と負極入出力端子２３との間に充電電源３０と電流計３１とを接続し、検査端子２４、２５に定電圧電源３２を接続する。充電電源３０により充電電力を供給して電池パック２０を充電状態にし、定電圧電源３２から二次電池２８が過充電状態となる過充電検査電圧を検査端子２４、２５間に印加すると、この過充電検査電圧は制御回路２９により検出され、制御回路２９は第１のＦＥＴ２６を遮断状態に制御するので入出力回路は遮断され、この状態は電流計３１により検出される。従って、定電圧電源３２から過充電検査電圧を印加したときに、電流計３１の指示値がゼロになるか否かによって電池保護回路２１による過充電保護動作の良否判定を行なうことができる。
【０００５】
また、電池パック２０の過放電保護動作の検査を行なうときには、正極入出力端子２２と負極入出力端子２３との間に放電負荷３３と電流計３１とを接続し、検査端子２４、２５に定電圧電源３２を接続する。放電負荷３３により放電状態になっている電池パック２０に対し、定電圧電源３２から二次電池２８が過放電状態となる過放電検査電圧を検査端子２４、２５間に印加すると、この過放電検査電圧は制御回路２９により検出され、制御回路２９は第２のＦＥＴ２７を遮断状態に制御するので入出力回路は遮断され、この状態は電流計３１により検出される。従って、定電圧電源３２から過放電検査電圧を印加したときに、電流計３１の指示値がゼロになるか否かによって電池保護回路２１による過放電保護動作の良否判定を行なうことができる。
【０００６】
【発明が解決しようとする課題】
しかしながら、従来構成になる電池パック２０では、電池保護回路２１の検査を行なうために２つの検査端子２４、２５が必要であるため、各検査端子２４、２５を設けるために回路基板のスペースが増加する問題があった。電池パック２０はそれを装着する携帯機器等の小型化、薄型化等の進展に伴って小型、薄型化が要求されており、回路基板を小型化し検査端子２４、２５を設けるスペースを削減することが望まれている。
【０００７】
また、各検査端子２４、２５に接続するための配線は、外部からの電磁輻射を受け、あるいは外部に対して不要輻射を発生させることにもなり、電池パック２０を装着する機器に影響を及ぼしたり、電池保護回路２１に誤動作を生じさせる場合がある。
【０００８】
従って、検査端子２４、２５はその数を削減して、電池パック２０における機械的、電気的な課題を解決することが望まれ、これに対応した電池パックの検査装置の開発が待たれていた。
【０００９】
本発明が目的とするところは、電池パックに設ける検査端子を１つにしても、電池保護回路の動作を検査することが可能とした電池パックとその検査装置を提供することにある。
【００１０】
【課題を解決するための手段】
上記目的を達成するための本願の第１発明は、二次電池と、この二次電池の正極及び負極にそれぞれ接続された正極入出力端子及び負極入出力端子と、二次電池から正極入出力端子及び負極入出力端子に至る入出力回路に直列に接続されたスイッチング素子と、二次電池の正極、負極間の電圧を監視して二次電池が過充電状態となる過充電電圧及び過放電状態となる過放電電圧が検出されたとき前記スイッチング素子を遮断状態に制御する制御回路とを備えた電池パックであって、  前記二次電池の正極電圧が入力される正極電圧入出力端子を外部に引き出した検査端子が設けられ、この検査端子と前記負極入出力端子との間が制御回路による過充電保護動作及び過放電保護動作を検査する検査電圧の入力部として構成されてなることを特徴とする。
【００１１】
上記構成によれば、負極入出力端子は検査電圧を印加する負極側の共通端子として構成されるので、検査端子と負極入出力端子との間に検査電圧を印加して制御回路による電池保護動作の検査を実施することができる。従って、検査端子は１つでよく、回路基板の小型化を図ると同時に検査端子に接続する配線が削減され、配線からの電磁輻射が減少し、外部からの電磁輻射の影響も減少する。
【００１２】
また、本願の第２発明は、二次電池と、この二次電池の正極及び負極にそれぞれ接続された正極入出力端子及び負極入出力端子と、二次電池から正極入出力端子及び負極入出力端子に至る入出力回路に直列に接続されたスイッチング素子と、二次電池の正極、負極間の電圧を監視して二次電池が過充電状態となる過充電電圧及び過放電状態となる過放電電圧が検出されたとき前記スイッチング素子を遮断状態に制御する制御回路と、二次電池の正極電圧が入力される制御回路の正極電圧入力端子を外部に引き出した検査端子とを備えて電池パックが構成され、この電池パックの前記正極入出力端子と負極入出力端子に充電電源または放電負荷を接続し、前記制御回路に前記過充電電圧または過放電電圧に相当する検査電圧を印加して電池パックの過充電保護動作または過放電保護動作を充電回路または放電回路に配した電流検出手段により検知する検査装置であって、前記正極入出力端子と負極入出力端子との間の電圧から前記検査電圧を生成して前記制御回路に印加する検査電圧生成手段を備えてなることを特徴とする。
【００１３】
上記第２発明の構成によれば、正極入出力端子と負極入出力端子との間の電圧から過充電電圧または過放電電圧に相当する検査電圧を生成して、これを制御回路の電圧検出端子に印加したとき、二次電池の入出力回路の遮断を電流検出手段で検出することにより、過充電保護動作または過放電保護動作の検査を行なうことができる。検査電圧は正極入出力端子と負極入出力端子との間の電圧から生成するので、制御回路の負極側は負極入出力端子と共通化でき、検査電圧は正極側だけでよく、検査電圧入力端子及び制御回路への配線は１ヶ所となり、回路基板の小型化を図り、電磁輻射の影響を減少させることができる。
【００１４】
また、本願の第３発明は、二次電池と、この二次電池の正極及び負極にそれぞれ接続された正極入出力端子及び負極入出力端子と、二次電池から正極入出力端子及び負極入出力端子に至る入出力回路に直列に接続されたスイッチング素子と、二次電池の正極、負極間の電圧を監視して二次電池が過充電状態となる過充電電圧及び過放電状態となる過放電電圧が検出されたとき前記スイッチング素子を遮断状態に制御する制御回路と、二次電池の正極電圧が入力される制御回路の正極電圧入力端子を外部に引き出した検査端子とを備えて電池パックが構成され、この電池パックの前記正極入出力端子と負極入出力端子に充電電源または放電負荷を接続し、前記制御回路に前記過充電電圧または過放電電圧に相当する検査電圧を印加して電池パックの過充電保護動作または過放電保護動作を充電回路または放電回路に配した電流検出手段により検知する検査装置であって、前記二次電池の電池電圧を記憶する電圧記憶回路と、過充電保護動作及び過放電保護動作の検査に対応する電圧を発生させる直流電圧源と、前記電池電圧記憶回路の出力電圧と前記直流電圧源の出力電圧との差電圧と正負入出力端子間の電圧とから前記検査電圧を生成する検査電圧生成回路とを備えてなることを特徴とする。
【００１５】
上記第３発明の構成によれば、電池電圧記憶回路の出力電圧と直流電圧源の出力電圧との差電圧を正極入出力端子と負極入出力端子との間の電圧に加算して過充電電圧または過放電電圧に相当する検査電圧を生成して、これを制御回路の電圧検出端子に印加したとき、二次電池の入出力回路の遮断を電流計で検出することにより、過充電保護動作または過放電保護動作の検査を行なうことができる。検査電圧は正極入出力端子と負極入出力端子との間の電圧から生成するので、制御回路の負極側は負極入出力端子と共通化でき、検査電圧は正極側だけでよく、検査電圧入力端子及び制御回路への配線は１ヶ所となり、回路基板の小型化を図り、電磁輻射の影響を減少させることができる。
【００１６】
上記構成において、過充電保護動作及び過放電保護動作の検査に対応させて、正極入出力端子と負極入出力端子との間への充電電源または放電負荷の接続を切り換えると共に、検査電圧生成回路の動作状態を切り換えることにより、過充電保護動作の検査及び過放電保護動作の検査に対応する状態に切り換えることができる。
【００１７】
また、本願の第４発明は、二次電池と、この二次電池の正極及び負極にそれぞれ接続された正極入出力端子及び負極入出力端子と、二次電池から正極入出力端子及び負極入出力端子に至る入出力回路に直列に接続されたスイッチング素子と、二次電池の正極、負極間の電圧を監視して二次電池が過充電状態となる過充電電圧が検出されたとき前記スイッチング素子を遮断状態に制御する制御回路と、二次電池の正極電圧が入力される制御回路の正極電圧入力端子を外部に引き出した検査端子とを備えて電池パックが構成され、この電池パックの前記正極入出力端子と負極入出力端子に充電電源を接続し、前記制御回路に前記過充電電圧に相当する検査電圧を印加して電池パックの過充電保護動作を充電回路に配した電流検出手段により検知する検査装置であって、前記充電電源から前記過充電電圧に相当する電圧の充電電力を供給し、この充電電源の出力電圧を充電電圧生成手段により適正な充電電圧に電圧降下させて前記正極入出力端子と負極入出力端子との間に入力した充電状態で、充電電源の出力電圧を前記制御回路に印加することを特徴とする。
【００１８】
上記第４発明の構成によれば、充電電源の出力電圧を過充電電圧に相当する電圧に設定し、この充電電源の出力電圧を充電電圧生成手段により適正な充電電圧にして電池パックを充電状態にして、充電電源の出力電圧を制御回路に印加すると、制御回路は二次電池の入出力回路に配設したスイッチング素子を遮断状態にする。この状態は電流検出手段により検出できるので、過充電保護動作の検査を行なうことができる。検査電圧は正極入出力端子と負極入出力端子との間の電圧から生成するので、制御回路の負極側は負極入出力端子と共通化でき、検査電圧は正極側だけでよく、検査電圧入力端子及び制御回路への配線は１ヶ所となり、回路基板の小型化を図り、電磁輻射の影響を減少させることができる。
【００１９】
上記構成における充電電圧生成手段は、所定の順方向電圧を有するダイオードを通して充電電源の出力電圧を前記正極入出力端子と負極入出力端子との間に入力するように構成することができ、ダイオードの順方向電圧分だけ電圧降下して適正な充電電圧で電池パックが充電される。
【００２０】
【発明の実施の形態】
以下、添付図面を参照して本発明の実施形態について説明し、本発明の理解に供する。尚、以下に示す実施形態は本発明を具体化した一例であって、本発明の技術的範囲を限定するものではない。
【００２１】
図１は、本発明の第１の実施形態に係る電池パック２と、この電池パック２の過充電保護動作及び過放電保護動作を検査する検査装置１の構成を示すものである。
【００２２】
前記電池パック２は、二次電池１２と、この二次電池１２を過充電及び過放電から保護する電池保護回路１１とを備えて構成されている。電池保護回路１１は、制御回路１３と、二次電池１２の負極側入出力回路に直列に配設された第１のＦＥＴ１４及び第２のＦＥＴ１５（スイッチング素子）とを備えて構成され、この第１及び第２の各ＦＥＴ１４、１５は平常状態においては導通状態に制御されており、制御回路１３は二次電池１２の正極と負極との間の電圧を監視して、過充電電圧が検出されたときには前記第１のＦＥＴ１４を遮断状態に制御し、過放電電圧が検出されたときには前記第２のＦＥＴ１５を遮断状態に制御する。従って、電池パック２の正極入出力端子１６と負極入出力端子１７との間に充電器を接続した充電時において過充電状態になったときには、過充電電圧が制御回路１３により検出されるので第１のＦＥＴ１４が遮断状態に制御されて二次電池１２の充電回路が遮断されるので、二次電池１２は過充電から保護される。また、電池パック２の正極入出力端子１６と負極入出力端子１７との間に本電池パック２を使用する機器を接続した放電時において過放電状態になったときには、過放電電圧が制御回路１３により検出されるので第２のＦＥＴ１５が遮断状態に制御されて二次電池１２の放電回路が遮断されるので、二次電池１２は過放電から保護される。
【００２３】
前記電池保護回路１１の動作を検査するために、制御回路１３の正極電圧入力端子に接続して検査端子１８が外部端子として設けられている。この電池パック２では、検査のための外部端子は検査端子１８のみであり、図３に示した従来構成のように２ヶ所に検査端子２４、２５を設ける必要はないので、端子とそれに至る配線を削減することができ、配線から不要輻射を発生させたり、電磁輻射を受けることによる制御回路１３の誤動作等を抑制することができる。
【００２４】
上記構成になる電池パック２の過充電保護動作及び過放電保護動作が正常になされるか否かの検査を行なうために、図１に示すように、電池パック２に検査装置１を接続する。
【００２５】
前記検査装置１は、過充電保護動作の検査時に電池パック２に充電電力を供給する充電電源４と、過放電保護動作の検査時に電池パック２から放電させるための放電負荷５と、充電回路及び放電回路の電流を検出する電流計（電流検出手段）６と、過充電保護動作及び過放電保護動作を検査するための検査電圧を生成する検査回路７と、過充電保護動作及び過放電保護動作の検査に応じて装置設定を切り換える切換装置８とを備えて構成されている。
【００２６】
前記検査回路７は電池パック２の検査端子１８と負極入出力端子１７との間に接続され、二次電池１２の電池電圧値を記憶する電池電圧記憶回路４１と、過充電保護動作の検査及び過放電保護動作の検査に応じた電圧を発生する直流電圧源４２と、この直流電圧源４２と電池電圧記憶回路４１とから出力される電圧から過充電電圧及び過放電電圧を生成する検査電圧生成回路４３とを備えて構成される。
【００２７】
検査装置１は、充電電源４及び放電負荷５を電流計６を通して電池パック２の正極入出力端子１６と負極入出力端子１７とに接続し、過充電保護動作の検査を行なうときには、切換装置８により充電電源４が接続された状態にすると共に、直流電圧源４２の出力電圧を過充電保護動作検査用に設定する。充電電源４から正極入出力端子１６と負極入出力端子１７との間に充電電力を供給して、電池パック２を充電状態にし、検査電圧生成回路４３により生成された電圧を正極入出力端子１６の電圧に加算した過充電検査電圧を検査端子１８に入力する。例えば、電池電圧が３．８Ｖ、充電電圧が４．１Ｖとすると、前記直流電圧源４２から４．４Ｖの電圧を出力する。検査電圧生成回路４３は直流電圧源４２の出力電圧４．４Ｖと電池電圧３．８Ｖとの差の電圧０．６Ｖを生成し、これを正極入出力端子１６に加えられる充電電圧４．１Ｖに加算した過充電検査電圧４．７Ｖを検査端子１８に印加する。この過充電検査電圧は二次電池１２の過充電状態の電圧であり、検査端子１８から制御回路１３の正極電圧入力端子に入力されるので、制御回路１３は第１のＦＥＴ１４を遮断状態に制御する。第１のＦＥＴ１４の遮断により二次電池１２の入出力回路は遮断されるので、充電回路は絶たれて電流計６の検出値はゼロとなり、この電流計６の表示から過充電保護動作が正常になされたか否かを検知することができる。
【００２８】
過放電保護動作の検査を行なうときには、切換装置８により正極入出力端子１６と負極入出力端子１７との間に放電負荷５が接続された状態にすると共に、直流電圧源４２の出力電圧を過放電保護動作検査用に設定する。放電負荷５の接続により電池パック２を放電状態にし、検査電圧生成回路４３により生成された電圧を正極入出力端子１６の電圧に加算した過放電検査電圧を検査端子１８に入力する。例えば、電池電圧が３．８Ｖとすると、前記直流電圧源４２から２．５Ｖの電圧を出力する。検査電圧生成回路４３は直流電圧源４２の出力電圧２．５Ｖと電池電圧３．８Ｖとの差の電圧−１．３Ｖを生成し、これを正極入出力端子１６の放電電圧３．８Ｖに加算した過放電検査電圧２．５Ｖを検査端子１８に印加する。この過放電検査電圧は過充電状態の電圧であり、検査端子１８から制御回路１３の正極電圧入力端子に入力されるので、制御回路１３は第２のＦＥＴ１５を遮断状態に制御する。第２のＦＥＴ１５の遮断により二次電池１２の入出力回路は遮断されるので、放電回路は絶たれて電流計６の検出値はゼロとなり、この電流計６の表示から過放電保護動作が正常になされたか否かを検知することができる。
【００２９】
図２は、本発明の第２の実施形態に係る電池パック５２と、その検査装置５１の構成を示すもので、電池パック５２は、二次電池５３と、この二次電池５３を過充電から保護する電池保護回路５６とを備えて構成されている。
【００３０】
前記電池保護回路５６を構成する制御回路５４は二次電池５３の正極、負極間の電池電圧を監視して、二次電池５３が過充電状態となったときの過充電電圧が検出されたとき、二次電池５３の入出力回路と直列に配設されたＦＥＴ５５を遮断状態に制御する。この過充電保護動作により二次電池５３を過充電による破壊から保護することができる。
【００３１】
この電池保護回路５６による過充電保護動作を検査するための検査装置５１は、充電電源６０と、電流計６１と、ダイオード６２及び抵抗器６３による過充電検査電圧生成回路とを備えて構成される。充電電源６０の正極側はダイオード６２を通じて電池パック５２の正極入出力端子５７に接続され、負極側は電流計６１を通じて電池パック５２の負極入出力端子５８に接続され、制御回路５４の電圧検出端子に接続された検査端子５９には、充電電源６０の正極側が接続される。
【００３２】
充電電源６０から電池パック５２に充電電力を供給すると、電池パック５２の正極入出力端子５７にはダイオード６２の順方向電圧分だけ電圧降下した充電電圧が供給され、電池パック５２は充電状態となる。この充電状態において、検査端子５９に充電電源６０の出力電圧を印加すると、制御回路５４には正極入出力端子５７より高い電圧が検出され、この電圧を過充電電圧に設定しておくと、制御回路５４はＦＥＴ５５を遮断状態に制御するので、充電回路は遮断されて充電は停止され、この遮断状態は電流計６１によって検出される。具体的には、充電電源６０の出力電圧を二次電池５３の過充電電圧となる４．６Ｖに設定し、ダイオード６２として順方向電圧が０．６Ｖのものを用いると、電池パック５２は４．０Ｖの充電電圧で充電され、検査端子５９には４．６Ｖの過充電電圧が印加されるので、電池パック５２を充電状態にして過充電保護動作を検査することができる。
【００３３】
【発明の効果】
以上の説明の通り本発明によれば、電池パックに１ヶ所の検査端子を設けるだけで電池保護回路の動作を検査することができ、電池保護回路を構成する回路基板の小型化を図ると共に、検査端子の数が増えることによる検査端子への配線が削減でき、配線に電磁輻射を受けることによる電池保護回路の誤動作等の影響や配線からの電磁輻射による機器への影響を低減させることができる。
【図面の簡単な説明】
【図１】第１の実施形態に係る電池パックと検査装置の構成を示すブロック図。
【図２】第２の実施形態に係る電池パックと検査装置の構成を示すブロック図。
【図３】従来技術になる電池パックと検査装置の構成を示すブロック図。
【符号の説明】
１、５１  検査装置
２、５２  電池パック
４、６０  充電電源
５  放電負荷
６  電流計（電流検出手段）
８  切換装置
１１、５６  電池保護回路
１２、５３  二次電池
１３、５４  制御回路
１４、１５、５５  ＦＥＴ（スイッチング素子）
１６、５７  正極入出力端子
１７、５８  負極入出力端子
１８、５９  検査端子
４１  電池電圧記憶回路
４２  直流電圧源
４３  検査電圧生成回路
６２  ダイオード
【図１】
0004627588.tif 000002
【図２】
0004627588.tif 000003
【図３】
0004627588.tif 000004